(57)【要約】受信機１は、テレビジョン信号及び無線信号を受けるためのテレビジョン及びラジオ入力１１，１２、及び第一のモードでアクチベートされ、テレビジョン入力に並列に配置される２つの第一のスイッチ２１，２２と、第二のモードでアクチベートされ、無線入力１２にアンチシリアルに配置される２つの第二のスイッチ２３，２４をもつスイッチング回路２を有している。スイッチング回路２を制御するための制御回路３は、高強度の無線信号がテレビジョン信号をもはや乱さないようなやり方で変更される。これにより、第一のスイッチ２１のうちの１つと第二のスイッチ２３のうちの１つは、入力１１，１２を互いにアイソレートし、制御回路３は、第一の制御信号を第一のスイッチ２１，２２に供給し、第二の制御信号をアンチシリアルの第二のスイッチ２３，２４の共通ではないポイントに供給する。この種類の受信機１は、シールドされた無線入力とシールドされていない無線入力について異なるスイッチング回路２をもはや必要としない。スイッチ２１，２２，２３，２４は、ダイオードであり、制御回路３は、ダイオードを制御するためのトランジスタ３１，３２を有している。
2005532724.tif 000002
【特許請求の範囲】
【請求項１】
第一の信号を受けるための第一の入力と、
第二の信号を受けるための第二の入力と、
第一のモードでアクチベートされる少なくとも２つの第一のスイッチと、第二のモードでアクチベートされる少なくとも２つの第二のスイッチとをもつスイッチング回路と、
該スイッチング回路を制御するための制御回路とを有し、
該第一のスイッチの少なくとも１つと該第二のスイッチの少なくとも１つは、少なくとも１つの該入力を他方の入力から分離し、該制御回路は、第一の制御信号を該第一のスイッチに供給し、第二の制御信号を該第二のスイッチに供給する、
ことを特徴とする受信機。
【請求項２】
該第一のスイッチは、ダイオードであり、該ダイオードのアノードは、１以上のエレメントを介して該第一の入力に結合され、該第二のスイッチは、ダイオードであり、該ダイオードのカソードは、共通のポイントを形成する、
ことを特徴とする請求項１記載の受信機。
【請求項３】
該第一のスイッチの１つのカソードは、共通のポイントに結合され、該第一のスイッチの他の１つのカソードは、１以上のエレメントを介してフィルタ入力に結合され、該第二のスイッチの１つのアノードは、１以上のエレメントを介して第二の入力に結合され、該第二のスイッチのうちの他の１つのアノードは、１以上のエレメントを介してフィルタ入力に結合される、
ことを特徴とする請求項２記載の受信機。
【請求項４】
該受信機は、テレビジョン信号と無線信号の低周波帯域をフィルタリングするためのフィルタ入力を含む低域通過フィルタを有する、
ことを特徴とする請求項３記載の受信機。
【請求項５】
該制御回路は、第三のスイッチを有し、該第三のスイッチの第一のコンタクトは、２つの抵抗からなる第一の直列回路の共通のポイントに結合され、該２つの抵抗の共通ではないポイントは、該第一のスイッチのアノードに結合され、
該制御回路は、第四のスイッチを有し、該第四のスイッチの第一のコンタクトは、該第三のスイッチの第二のコンタクトと２つの抵抗からなる第二の直列回路の共通のポイントとに結合され、該２つの抵抗の共通ではないポイントは、該第二のスイッチのアノードに結合され、該第二のスイッチの共通のポイントは、抵抗を介してグランドに結合される、
ことを特徴とする請求項４記載の受信機。
【請求項６】
該第三のスイッチは、第一のトランジスタを有し、該第四のスイッチは、第二のトランジスタを有し、該トランジスタの第一のコンタクトはコレクタであり、該トランジスタの第二のコンタクトはベースであり、該トランジスタのエミッタはグランドに結合されており、該コレクタは、少なくとも１つの抵抗をそれぞれ介して第一の電圧源に結合され、該第一のトランジスタのベースは、抵抗を介して該第二のトランジスタのコレクタに結合され、該第二のトランジスタのベースは、少なくとも１つの抵抗を介して第二の電圧源に結合される、
ことを特徴とする請求項５記載の受信機。
【請求項７】
第一の信号を受けるための第一の入力、第二の信号を受けるための第二の入力、及び第一のモードでアクチベートされる少なくとも２つの第一のスイッチと第二のモードでアクチベートされる少なくとも２つの第二のスイッチをもつスイッチング回路を有する受信機における使用のためのスイッチング回路であって、
該第一のスイッチのうちの少なくとも１つと該第二のスイッチのうちの少なくとも１つは、少なくとも１つの該入力を他方の入力から分離する、
ことを特徴とするスイッチング回路。
【請求項８】
第一の信号を受けるための第一の入力、第二の信号を受けるための第二の入力、第一のモードでアクチベートされる少なくとも２つの第一のスイッチと第二のモードでアクチベートされる少なくとも２つの第二のスイッチをもつスイッチング回路、及び該スイッチング回路を制御するための制御回路を有する受信機における使用のためのスイッチング回路であって、
該第一のスイッチのうちの少なくとも１つと該第二のスイッチのうちの少なくとも１つは、少なくとも１つの該入力を他方の入力から分離し、該制御回路は、第一の制御信号を該第一のスイッチに供給し、第二の制御信号を該第二のスイッチに供給する、
ことを特徴とする制御回路。
【請求項９】
第一の信号を受けるための第一の入力、第二の信号を受けるための第二の入力、第一のモードでアクチベートされる少なくとも２つの第一のスイッチと第二のモードでアクチベートされる少なくとも２つの第二のスイッチをもつスイッチング回路、及び該スイッチング回路を制御するための制御回路を有する受信機を含むテレビジョンであって、
該第一のスイッチの少なくとも１つと該第二のスイッチの少なくとも１つは、少なくとも１つの該入力を他方の入力から分離し、該制御回路は、第一の制御信号を該第一のスイッチに供給し、第二の制御信号を該第二のスイッチに供給する、
ことを特徴とするテレビジョン。
【請求項１０】
第一の入力で第一の信号を受信するステップと、
第二の入力で第二の信号を受信するステップと、
第一のモードで少なくとも２つの第一のスイッチをアクチベートするステップと、
第二のモードで少なくとも２つの第二のスイッチをアクチベートするステップと、
該スイッチングを制御するステップとを含み、
該第一のスイッチの少なくとも１つと該第二のスイッチの少なくとも１つとは、少なくとも１つの該入力を他方の入力から分離し、該制御するステップは、第一の制御信号を該第一のスイッチに供給し、第二の制御信号を該第二のスイッチに供給するステップを含む、
ことを特徴とする方法。
【発明の詳細な説明】
【技術分野】
【０００１】
本発明は、受信機に関し、第一の信号を受けるための第一の入力、第二の信号を受けるための第二の入力、第一のモードでアクチベートされる少なくとも２つの第一のスイッチをもち、第二のモードでアクチベートされる少なくとも２つの第二のスイッチをもつスイッチング回路、及び該スイッチング回路を制御するための制御回路を有している。
【０００２】
また、本発明は、かかる受信機における使用のためのスイッチング回路及び制御回路、かかる受信機を有するテレビジョン、並びに、第一の信号を受ける第一入力受信ステップ、第二の信号を受ける第二入力受信ステップ、第一のモードで少なくとも２つの第一のスイッチをアクチベートするステップ、第二のモードで少なくとも２つの第二のスイッチをアクチベートするステップ及び該スイッチを制御するステップを含む方法に関する。
【背景技術】
【０００３】
かかる受信機は、たとえばテレビジョン受像機であり、このテレビジョン受像機は、たとえばテレビジョン信号のような第一の信号を受けるため、たとえばサテライトディスク又はケーブル若しくはテレビジョンアンテナに結合される第一の（シールドされた）入力を有しており、たとえば周波数変調された無線信号すなわちＦＭ無線信号のような第二の信号を受けるため、たとえば（たとえばシールドされるとき）ラジオアンテナ又は（たとえばシールドされないとき）配線に結合される第二の（シールドされるか又はシールドされない）入力を有している。一般に、第一のスイッチは、たとえば、第一の入力に並列に位置され、第一の（テレビジョン）モードでアクチベートされ（導通状態にされ）、第二のスイッチは、たとえば、第二の入力にアンチシリアルに位置され、第二の（ラジオ）モードでアクチベートされる（導通状態にされる）。
【０００４】
従来の受信機は、米国特許US6,020,936号から知られており、この特許は、その第二図で、４つのダイオードＤ１，Ｄ４（スイッチ）を介して互いに結合されるＴＶＩＮ（第一の入力）及びＦＭＩＮ（第二の入力）を開示しており、ＴＶモードでは、Ｄ１及びＤ３が導通状態にあって、Ｄ２及びＤ４が非導通状態にあり、ＦＭモードでは、Ｄ２及びＤ４が導通状態にあって、Ｄ１及びＤ３が非導通状態にある。この導通及び非導通は、ＴＶ／ＦＭ信号（制御信号）を発生する制御回路により制御される。ＴＶＩＮの観点では、Ｄ１及びＤ３は、並列に位置されており、ＦＭＩＮの観点では、Ｄ２及びＤ４は、アンチシリアルに位置されている。
【発明の開示】
【発明が解決しようとする課題】
【０００５】
公知の受信機は、特に、高い強度の第二の信号（高強度のＦＭ信号）が第二の入力（ＦＭＩＮ）を介して到達し、第一の信号（ＴＶ信号）を乱すために問題がある。
【０００６】
本発明の目的は、特に、高強度の第二の信号による第一の信号の乱れを低減する、開始節で定義されたような受信機を提供することにある。本発明は、独立の請求項により提供される。従属の請求項は、好適な実施の形態を定義している。
【課題を解決するための手段】
【０００７】
少なくとも２つのスイッチにより入力を互いにアイソレートすることで、入力間にまさに１つのスイッチＤ１（プラス１以上の他のエレメント）を介したカップリングが存在する従来の米国特許US6,020,936号に比較して、本発明に係る受信機における入力は、非常に良好に互いにアイソレートされる。たとえ高強度の第二の信号であっても、如何なる第一の信号をももはや乱さない。この良好なアイソレーションのため、第一のスイッチ及び第二のスイッチは、これより、（分離された）第一の制御信号及び第二の制御信号を必要とする。第二の制御信号を（アンチシリアルの）第二のスイッチの（共通ではないポイント）に供給するとき、第一のスイッチのうちの１つは、これら（アンチシリアルの）第二のスイッチの共通ポイントに好都合にも結合することができる。
【０００８】
本発明は、特に、カップリングにおけるより多くのスイッチにより、より高いアイソレーションを齎すという洞察に基づいており、特に、第一のスイッチのうちの１つは、アンチシリアルの第二のスイッチの、第二の入力に結合される（従来の）共通ではないポイントから、（本発明の）これらアンチシリアルの第二のスイッチの共通のポイントにシフトされるという基本的な考えに基づいている。
【０００９】
本発明は、特に入力を互いに良好にアイソレートする開始節で定義された受信機を提供するという課題を解決するものであって、特に、この種類の受信機は、シールドされた第二の入力とシールドされていない第二の入力とについて異なるスイッチング回路をもはや必要としないことは好都合である。
【００１０】
請求項２に定義される本発明に係る受信機の第一の実施の形態は、第一のスイッチがダイオードであって、このダイオードのアノードが１以上のエレメントを介して第一の入力に結合されており、第二のスイッチがダイオードであって、このダイオードのカソードが共通のポイントを形成する点で好都合である。第一の制御信号を第一のスイッチのアノードに供給し、第二の制御信号を第二のスイッチのアノードに供給することで、従来のインバータを回避することができる。ダイオードは、効果的な低コストのスイッチである。
【００１１】
請求項３に定義される本発明に係る受信機の第二の実施の形態は、第一のスイッチの一方のカソードが共通のポイントに結合され、第一のスイッチの他の一方のカソードが１以上のエレメントを介してフィルタ入力に結合され、第二のスイッチのうちの一方のアノードが１以上のエレメントを介して第二の入力に結合され、第二のスイッチの他の一方のアノードが１以上のエレメントを介してフィルタ入力に結合される点で有利である。エレメントは、たとえば、フィルタリングの目的のため、キャパシタ、インダクタ、抵抗等である。
【００１２】
請求項４に定義される本発明に係る受信機の第三の実施の形態は、テレビジョン信号及び無線信号の低周波帯域をフィルタリングするためのフィルタ入力をもつ低域通過フィルタを有する点で都合がよい。その後、低域通過フィルタは、有利なことに、両方の種類の信号について使用される。通常、テレビジョン信号の中間周波帯域をフィルタリング及び高周波帯域をフィルタリンするための１以上のエレメントを介して第一の入力に結合される、帯域通過フィルタ及び高域通過フィルタのような、より多くのフィルタが存在する。
【００１３】
請求項５に定義される本発明に係る受信機の第四の実施の形態は、制御回路は第三のスイッチを有しており、この第三のスイッチの第一のコンタクトが２つの抵抗からなる第一の直列回路の共通のポイントに結合され、共通ではないポイントが第一のスイッチのアノードに結合され、制御回路は第四のスイッチを有しており、この第四のスイッチの第一のコンタクトは、第一のトランジスタの第二のコンタクトに結合され、２つの抵抗からなる第二の直列回路の共通のポイントに結合され、共通ではないポイントが第二のスイッチのアノードに結合され、第二のスイッチの共通のポイントが抵抗を介してグランドに結合されている点で有利である。この制御回路は、好都合にも低コストであり、複雑さの低い制御回路である。共通のポイントとグランドとの間の抵抗により、非導通状態を改善するため、両方の第二のスイッチを逆バイアスすることができる。
【００１４】
請求項６に定義される本発明に係る受信機の第五の実施の形態は、第三のスイッチが第一のトランジスタを有し、第四のスイッチが第二のトランジスタを有し、該トランジスタの第一のコンタクトがコレクタであり、該トランジスタの第二のコンタクトがベースであり、該トランジスタのエミッタがグランドに結合され、少なくとも１つの抵抗をそれぞれ介するコレクタが第一の電圧源に結合され、第一のトランジスタのベースが抵抗を介して第二のトランジスタのコレクタに結合され、第二のトランジスタのベースが少なくとも１つの抵抗を介して第二の電圧源に結合されている点で有利である。この制御回路は、電圧源に依存して第一の制御信号及び第二の制御信号を発生し、これにより容易に制御することができる。トランジスタは、好都合にも低コストのスイッチである。
【００１５】
本発明に係るスイッチング回路の実施の形態、本発明に係る制御回路の実施の形態、本発明に係るテレビジョンの実施の形態、及び本発明に係る方法は、本発明の受信機の実施の形態に対応している。
本発明のこれらの態様及び他の態様は、以下に記載される実施の形態を参照して明らかにされるであろう。
【発明を実施するための最良の形態】
【００１６】
本発明に係る受信機１は、本発明に係るスイッチング回路２及び本発明に係る制御回路３を有している。
【００１７】
スイッチング回路２は、たとえばダイオードのような２つの第一のスイッチ２１，２２、及びたとえばダイオードのような２つの第二のスイッチ２３，２４を有している。ダイオード２１のアノードは、たとえばキャパシタであるエレメント６５を介してグランドに結合され、抵抗６１及び６２を含む第一の直列回路６１，６２の第一の共通ではないポイントに結合されており、第二の共通ではないポイントは、ダイオード２２のアノード、高域通過フィルタ１６、及びたとえばキャパシタを含むエレメント１３を介して第一の入力１１に結合されている。第一の入力１１は、中間帯域フィルタ１５にさらに結合されている。
【００１８】
ダイオード２２のカソードは、たとえばキャパシタを含むエレメント６６を介して、低域通過フィルタ１７のフィルタ入力、及びたとえばキャパシタを含むエレメント６７に結合されており、このエレメント６７は、ダイオード２４のアノードにさらに結合される。ダイオード２４のカソードは、ダイオード２１のカソード及びダイオード２３のカソードに結合され、抵抗を介してグランドに結合され、抵抗６４を介してダイオード２２のカソードに結合されている。ダイオード２３のアノードは、たとえばキャパシタを含むエレメント１４を介して第二の入力１２に結合されている。
【００１９】
制御回路３は、第三のスイッチ３１をたとえば第一のトランジスタ３１（ｎｐｎ）の構成で有しており、この第一のトランジスタのエミッタはグランドに結合され、この第一のトランジスタのコレクタ（第一のコンタクト）は第一の直列回路６１，６２の共通のポイントに結合され、抵抗７３，７６を介して第一の電圧源７７，７８に結合される。第一のトランジスタ３１のベース（第二のコンタクト）は、抵抗７５を介して、抵抗７１及び７２を含む第二の直列回路７１，７２の共通入力に結合されており、第一の共通ではないポイントは、ダイオード２３のアノードに結合され、第二の共通ではないポイントは、ダイオード２４のアノードに結合されている。制御回路３は、たとえば第二のトランジスタ３２（ｎｐｎ）の構成で第四のスイッチ３２をさらに有している。
【００２０】
第二の直列回路７１，７２の共通のポイントは、第二のトランジスタ３２（ｎｐｎ）のコレクタ（第一のコンタクト）に結合されており、抵抗７４及び抵抗７６を介して第一の電圧源７７，７８に結合されている。第二のトランジスタ３２のエミッタは、グランドに結合され、ベース（第二のコンタクト）は、抵抗７９を介して第二の電圧源８０，８１に結合されている。両方の電圧源７７，７８及び８０，８１は、内部抵抗７７，８０及び電源７８，８１を有している。
【００２１】
受信機１は、以下のように機能する。たとえばテレビジョンモードのような第一のモードでは、たとえば第一の電圧源７７，７８がスイッチオンにされ、第二の電圧源８０，８１がスイッチオンにされる。結果として、第一のトランジスタ３１は非導通状態であって、第二のトランジスタ３２は導通状態であり、第一のダイオード２１，２２が導通状態であって、第二のダイオード２３，２４が非導通状態にあり、第一の入力１１に到来するたとえばテレビジョン信号のような第一の信号は、中間周波帯域フィルタ１５に入力し、エレメント１３を介して高域通過フィルタ１６に入力し、エレメント１３及びダイオード２２及びエレメント６６を介して低域通過フィルタ１７に入力される。第二の入力１２に到来するたとえば周波数変調された無線信号のような第二の信号は、非導通状態にあるダイオード２３，２４によりブロックされる。
【００２２】
ラジオモードのような第二のモードでは、たとえば第一の電圧源７７，７８がスイッチオンにされ、第二の電圧源８０，８１がスイッチオフにされる。結果として、第一のトランジスタ３１が導通状態にあって、第二のトランジスタが非導通状態にあり、第一のダイオード２１，２２が非導通状態にあって、第二のダイオード２３，２４が導通状態にあり、第一の入力１１に到来するたとえばテレビジョン信号のような第一の信号は、非導通状態にあるダイオード２２によりブロックされる。第二の入力１２に到来するたとえば周波数変調された無線信号のような第二の信号は、これより、エレメント１４及び導通状態のダイオード２３，２４並びにエレメント６７を介して低域通過フィルタに流れる。
【００２３】
両方のモードについて、１つの低域通過フィルタ１７は、好都合にも、両方の入力１１，１２について使用することができる。少なくとも２つのダイオード２３，２１を介して入力１１，１２を互いにアイソレートすることで、従来の米国特許US6,020,936号（入力１１，１２の間にまさに１つのダイオード２１（プラス１以上の他のエレメント）を介してカップリングが存在し、従来技術に係るダイオード２１がダイオード２３のカソードに結合されず、ダイオード２３のアノードに結合される）と比較して、本発明に係る受信機１における入力１１，１２は、非常に良好に互いに分離される。たとえ、高い強度の無線信号のような高強度の第二の信号であっても、如何なる第一の信号をももはや乱すことはない。この良好なアイソレーションのため、第一のダイオード２１，２２及び第二のダイオード２３，２４は、これより、抵抗６１，６２からなる第一の直列回を介して到来する（分離された）第一の制御信号、及び抵抗７１，７２からなる第二の直列回路を介して到来する第二の制御信号を必要とする。第二の制御信号をアンチシリアルの第二のダイオード２３，２４の共通ではないポイントに供給するとき、第一のダイオード２１のうちの１つは、アンチシリアルの第二のダイオード２３，２４の共通のポイントに好都合にも結合することができる。
【００２４】
第一のモードでは、抵抗６３は、第一の電圧源７７，７８について、抵抗６２及び７３と共に分圧器を形成し、これにより非導通状態を改善するため、両方のダイオード２３，２４を逆バイアスすることができる（その後、これら第一のダイオードのアノードの電圧は、それらカソードの電圧よりも低くすることができる）。結果として、スイッチングダイオードの非線形性による相互変調プロダクトを回避することができる。
【００２５】
本発明は、特に、カップリングにおけるより多くのスイッチにより、より良好なアイソレーションが齎されるという洞察に基づいており、特に、第一のスイッチのうちの１つが（従来技術の）アンチシリアルの第二のスイッチ２３，２４の、第二の入力１２に結合される共通ではないポイントから、（本発明の）これらアンチシリアルの第二のスイッチ２３，２４の共通のポイントにシフトされるという、基本的な考えに基づいている。
【００２６】
本発明は、特に、入力１１，１２を互いに良好にアイソレートする受信機１を提供するという課題を解決するものであって、特に、この種類の受信機１は、シールドされた第二の入力１２とシールドされていない第二の入力１２について異なるスイッチング回路２を必要としない点で好都合である。
【００２７】
スイッチ２１〜２４は、ダイオードであるか、又はトランジスタ等とすることができる。トランジスタ３１及び３２は、ｎｐｎトランジスタであるか、又はｐｎｐトランジスタ、若しくはＦＥＴであるか、又はＭＯＳＦＥＴとすることができる。エレメントは非常に複雑であって、他のエレメントは排除されるものではなく、所定のエレメントは、（たとえば抵抗７６又は抵抗７３，７４のいずれかのように）結合及び／又は削除される場合があり、更なる入力及び／又は更なるフィルタ及び／又は更なるモードは、排除されるべきではなく、これら全てのことは、本発明の範囲から逸脱するものではない。
【００２８】
たとえば、それぞれのフィルタ１５〜１７に対して直列に、インダクタが存在する場合がある。入力１１とエレメント１３との間に、たとえばキャパシタＣaからなるエレメントグループが存在する場合があり、このキャパシタの両方の側は、インダクタＬa，Ｌbをそれぞれ介してグランドに結合され、キャパシタＣbとインダクタＬcからなる並列回路は、キャパシタＣaに直列に結合される。抵抗７１とダイオード２３のアノードとに結合されているエレメント１４の代わりに、入力１２に結合され、及びキャパシタＣwを介してダイオード２３のアノードに結合される、たとえばキャパシタＣxとインダクタＬxとからなる並列回路のエレメントグループが存在する場合があり、キャパシタＣyの両方の側は、グランド、インダクタＬyを介して（並列回路に結合される）第一の側に結合され、インダクタＬz及びキャパシタＣzからなる直列回路を介して（アノードに結合される）第二の側に結合され、その後、この直列回路の共通のポイントは、抵抗７１に結合される。さらに、低域通過フィルタ１７に直列に、たとえば、キャパシタと抵抗からなる並列回路が存在する場合がある。
【００２９】
なお、上述された実施の形態は、本発明を限定するよりはむしろ例示するものであり、当業者であれば、特許請求の範囲から逸脱することなしに多くの代替的な実施の形態を設計することができる。特許請求の範囲では、括弧の間に配置される参照符号は、請求項を限定するとして解釈されるべきではない。単語「有する“comprising”」は、請求項に列挙された以外の構成要素又は処理の存在を排除するものではない。構成要素に先行する単語“ａ”又は“ａｎ”は、複数のかかる構成要素の存在を排除しない。本発明は、幾つかの別個の構成要素を有するハードウェアにより、適切にプログラムされたコンピュータにより実現することができる。幾つかの手段を列挙している装置の請求項では、これらの手段の幾つかは、同一のハードウェアのアイテムにより実施することができる。所定の手段が相互に異なる従属の請求項で引用されるという事実は、これらの手段の組み合わせは、利益を齎すために使用することができないことを示していない。
【図面の簡単な説明】
【００３０】
【図１】本発明に係るスイッチング回路と本発明に係る制御回路を有する本発明に係る受信機の実施の形態を示すブロック図である。
【図１】
2005532724.tif 000003
【国際調査報告】
2005532724.tif 000004
2005532724.tif 000005